(57)【要約】【課題】  不透液性のシートによる蒸れを低減し、肌トラブルを抑制することができる着用物品を提供する。【解決手段】  おむつ１は、身体側に位置するインナ２と、身体側の反対側である着衣側に位置するアウタを構成するシャーシ３とを含む。インナ２は、尿などの体液を吸収・保持できる吸液構造体７０と、吸液構造体７０と内面シート４０の間に位置する漏れ防止シートと、吸液構造体７０の、身体側に位置するインナトップシート２０と、縦方向Ｙに延びる一対の漏れバリアカフ９０とを有している。漏れ防止シートは、吸液構造体７０の、着衣側を覆うように取り付けられ、その透湿度を約２２００〜３８００ｇ／ｍ２・２４ｈｒｓとされている。シャーシ３を形成する内外面シート４０，５０の前後ウエスト域３１，３２において、漏れ防止シートの横方向Ｘ外側には、これとは重ならない透湿領域Ｔが形成される。【選択図】図２
0003153770.tif 000002
【実用新案登録請求の範囲】
【請求項１】
縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記吸液構造体の前記反対側に位置し不透液性の漏れ防止シートとを含む着用物品において、
前記漏れ防止シートは、透湿度が２２００〜３８００ｇ／ｍ２・２４ｈｒｓとされるとともに、前記吸液構造体に対応して形成され、
前記シャーシは、透湿性を有するとともに、前記漏れ防止シートに重ならない透湿領域が、前記前後ウエスト域であって前記吸液構造体の前記横方向外側に形成されることを特徴とする前記着用物品。
【請求項２】
前記吸液構造体は、前記シャーシの身体側に位置し、
前記漏れ防止シートは、前記吸液構造体と前記シャーシとの間に位置する請求項１記載の着用物品。
【請求項３】
前記漏れ防止シートと前記シャーシとの間には、これらを互いに接合する接合領域と、前記漏れ防止シートの一方の側縁から他方の側縁へと延びる非接合領域とが形成され、前記非接合領域は、前記接合領域の前記縦方向内側に形成される請求項１または２に記載の着用物品。
【考案の詳細な説明】
【技術分野】
【０００１】
この考案は、着用物品に関し、さらに詳しくは使い捨てのおむつ、排泄トレーニングパンツ、失禁ブリーフ等に関する。
【背景技術】
【０００２】
従来、使い捨てのおむつにおいて、着用者の身体側に位置するトップシートと、その反対側に位置するバックシートと、これらシートの間に取り付けられた吸収体とを有し、トップシートとして透液性の繊維不織布を用い、バックシートとして不透液性のフィルムを用いるものが公知である。例えば、特許第４００８３４６号公報（特許文献１）、特開２００６−３１４６８１号公報（特許文献２）によれば、トップシートとバックシートとがほぼ同形同大に形成され、これら二枚のシートによっておむつの全体外形を形成している。不透液性のバックシートを有することによって、尿などの排泄物が漏れるのを防止している。
【先行技術文献】
【特許文献】
【０００３】
【特許文献１】特許第４００８３４６号公報（ＪＰ  ４００８３４６  Ｂ２）
【特許文献２】特開２００６−３１４６８１号公報（ＪＰ  ２００６−３１４６８１  Ａ）
【考案の概要】
【考案が解決しようとする課題】
【０００４】
不透液性のバックシートは、透液性のトップシートに比べて、透湿度が低く、これによっておむつの内部が蒸れる可能性がある。特にバックシートは、おむつ全体に亘って形成されているから、おむつ内部の蒸れが生じやすい。おむつ内部が蒸れることによって、着用者に対するかぶれなどの肌トラブルを誘発する可能性がある。
【０００５】
この考案では、不透液性のシートによる蒸れを低減し、肌トラブルを抑制することができる着用物品を提供することを課題とする。
【課題を解決するための手段】
【０００６】
この考案は、縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記吸液構造体の、前記反対側に位置し不透液性の漏れ防止シートとを含む着用物品の改良に関わる。
【０００７】
この考案は、前記着用物品において、前記漏れ防止シートは、透湿度が２２００〜３８００ｇ／ｍ２・２４ｈｒｓとされるとともに、前記吸液構造体に対応して形成され、前記シャーシは、透湿性を有するとともに、前記漏れ防止シートに重ならない透湿領域が、前記前後ウエスト域であって前記吸液構造体の前記横方向外側に形成されることを特徴とする。
【０００８】
この考案の好ましい実施態様のひとつとして、前記吸液構造体は、前記シャーシの身体側に位置し、前記漏れ防止シートは、前記吸液構造体と前記シャーシとの間に位置する。
【０００９】
好ましい他の実施態様のひとつとして、前記漏れ防止シートと前記シャーシとの間には、これらを互いに接合する接合領域と、前記漏れ防止シートの一方の側縁から他方の側縁へと延びる非接合領域とが形成され、前記非接合領域は、前記接合領域の前記縦方向内側に形成される。
【考案の効果】
【００１０】
この考案によれば、前後ウエスト域であって、吸液構造体の横方向外側に、漏れ防止シートに重ならないシャーシの透湿領域が形成されるから、蒸れ難い着用物品を提供することができ、蒸れによる肌トラブルを低減することが可能となる。また、透湿度が２２００〜３８００ｇ／ｍ２・２４ｈｒｓの漏れ防止シートを用いることとしているので、より一層蒸れ難く、肌トラブルを抑制することができる。
【図面の簡単な説明】
【００１１】
【図１】おむつの斜視図。
【図２】図１のおむつの展開平面図。
【図３】図２のＩＩＩ−ＩＩＩ線断面概要図。
【図４】図２のＩＶ−ＩＶ線断面概要図。
【図５】図２の分解組立図。
【図６】漏れバリアカフの一部破断拡大概要図。
【図７】プレスパターンの模式図。
【考案を実施するための形態】
【００１２】
図１〜７は、この出願に係る考案であって、着用物品として大人用使い捨ておむつを例にした一実施態様である。図１は、おむつ１のウエスト開口およびレッグ開口を環状に保った状態の斜視図であって、その一部を破断させた図、図２は図１の展開平面図であっておむつ１の各弾性体をその収縮力に抗して伸長させ、おむつ１を平面に保った状態を示した図、図３は図２のＩＩＩ−ＩＩＩ線断面の説明図、図４は図２のＩＶ−ＩＶ線断面図、図５は図２の分解組立図、図６は漏れバリアカフの説明図、図７は吸液構造体におけるプレスパターンの説明図である。図３は、カフ弾性体の収縮力が作用している状態を示している。なお、以下の説明において、「身体側」、「着衣側」とは、着用物品の着用時における位置を意味するものであり、個々の構成要素に対してそれぞれ身体側および着衣側が形成される。
【００１３】
おむつ１は、縦方向Ｙおよび横方向Ｘと、縦方向Ｙの長さ寸法を二等分する仮想横中心線Ｑ−Ｑと、横方向Ｘの長さ寸法を二等分する仮想縦中心線Ｐ−Ｐとを有し、仮想縦中心線Ｐ−Ｐに対してほぼ対称に形成されている。対称に形成された構成要素については、図面において一部その符号を省略している。
【００１４】
おむつ１は、身体側に位置するインナ２と、身体側の反対側である着衣側に位置するアウタを構成するシャーシ３とを含む。シャーシ３は、前ウエスト域３１、後ウエスト域３２および前記前後ウエスト域３１，３２間に位置するクロッチ域３３を有するとともに、横方向Ｘに延びるシャーシ前後端縁３４，３５と、縦方向Ｙに延びるとともに、前ウエスト域に位置するシャーシ前側縁３６と、後ウエスト域に位置するシャーシ後側縁３７と、クロッチ域に位置するクロッチ側縁３８とを有している。
【００１５】
シャーシ前端縁３４からシャーシ後端縁３５までの縦方向Ｙの長さ寸法は、約７５０〜８５０ｍｍ、具体的な例として約７８０ｍｍとされている。一方のシャーシ前後側縁３６，３７から他方のシャーシ前後側縁３６，３７までの横方向Ｘの長さ寸法は、約４５０〜７５０ｍｍ、具体的な例として約５５０ｍｍとされている。ただし、これら寸法は、各弾性体をその収縮力に抗して伸長させた状態で測定される。前記シャーシ前後側縁３６，３７が互いに接合されることによって、上記シャーシ前後端縁３４，３５でウエスト開口が形成され、クロッチ側縁３８でレッグ開口が形成される。
【００１６】
シャーシ３は、透湿性を有する繊維不織布等によって形成される内外面シート４０，５０を有し、図２，４，５に示したように、外面シート５０は、内面シート４０の前後端縁から縦方向Ｙ外側にそれぞれ延出されている。延出した外面シート５０は、内面シート４０の前後端縁とほぼ一致する前後折曲線５１，５２からその内側へと折り返され、前後フラップ部５３，５４が形成される。前後折曲線５１，５２によって、シャーシ前後端縁３４，３５が形成されている。
【００１７】
内外面シート４０，５０の間には、シャーシ前後端縁３４，３５側に位置する前後ウエスト弾性体６１，６２と、これよりも縦方向Ｙ内側に位置する前後胴回り弾性体６３，６４とが取り付けられている。前後ウエスト弾性体６１，６２および前後胴回り弾性体６３，６４は、内外面シート４０，５０の少なくともいずれか一方に接合され、横方向Ｘに伸長状態で、収縮可能に取り付けられている。
【００１８】
前後ウエスト弾性体６１，６２は、複数の弾性糸によって形成することができ、伸長倍率を約２．５〜３．５倍、縦方向Ｙのピッチを約６ｍｍとされている。前後胴回り弾性体６３，６４は、複数の弾性糸によって形成することができ、伸長倍率を約１．５〜３．５倍、縦方向Ｙのピッチを約１０ｍｍとされている。なお、前後ウエスト弾性体６１，６２と前後胴回り弾性体６３，６４との間における縦方向Ｙのピッチは、約８〜１５ｍｍ、具体的な例として約１２ｍｍとされている。前後ウエスト弾性体６１,６２として、弾性糸の代わりに平ゴム等のこの技術分野において通常用いられる弾性体を使用することができる。
【００１９】
上記のような前後ウエスト弾性体６１，６２によってシャーシ前後端縁３４，３５が弾性化され、着用者の身体側への安定的固定を図るとともに、ウエスト開口からの尿等の漏れを防止している。また前後胴回り弾性体６３，６４によって、前後ウエスト領域３１，３２全体が着用者の身体側に密着され、良好な着用感を与えるとともに、尿等の漏れを防止している。
【００２０】
内外面シート４０，５０の間であって、少なくともクロッチ側縁３８に沿って、前後レッグ弾性体６５，６６が取り付けられている。前後レッグ弾性体６５，６６は、一方の側縁から仮想縦中心線Ｐ−Ｐを横切って他方の側縁に延びるとともに、伸長状態で収縮可能に取り付けられ、内外面シート４０，５０の少なくともいずれか一方に接合されている。前後レッグ弾性体６５，６６は、仮想横中心線Ｑ−Ｑよりも前ウエスト域３１側で、互いに交差されている。
【００２１】
前後レッグ弾性体６５，６６は、例えば複数の弾性糸によって形成することができる。弾性糸の代わりに、平ゴム等のこの技術分野で通常用いられる弾性体を使用することができる。このような前後レッグ弾性体６５，６６によって、レッグ開口が弾性化され、レッグ開口からの尿等の漏れを防止するともに、後ウエスト域３２側で便等を保持するポケット３９を形成することができる（図１参照）。
【００２２】
内面シート４０の、身体側にはインナ２が取り付けられている。インナ２は、尿などの体液を吸収・保持できる吸液構造体７０と、吸液構造体７０と内面シート４０の間に位置する漏れ防止シート８０と、吸液構造体７０の、身体側に位置するインナトップシート２０と、縦方向Ｙに延びる一対の漏れバリアカフ９０とを有している。
【００２３】
吸液構造体７０は、フラッフパルプおよび高吸収性ポリマー粒子、オプションとして熱可塑性合成樹脂を含む吸液性芯材７１と、これら芯材７１を覆うティッシュペーパ等の被覆シート７２とによって形成されている。吸液性芯材７１は、縦方向Ｙの長さ寸法を約４７０〜６１０ｍｍ、具体的な例として約４８０ｍｍ、横方向Ｘの長さ寸法を約２００ｍｍとされ、縦方向Ｙの中央部分では、横方向Ｘの長さ寸法が短くなるように形成されている。吸液性芯材７１の単位面積当たりの質量は、約４００〜９００ｇ／ｍ２とされている。これは、芯材７１と被覆シート７２とを含む場合の質量である。
【００２４】
芯材７１は、横方向Ｘの中央領域において他の領域よりも高吸収性ポリマー粒子の単位面積当たりの質量を多くしている。具体的に、芯材７１全体は、フラッフパルプと高吸収性ポリマー粒子とを混合させて形成し、中央領域においてはさらにその身体側から高吸収性ポリマー粒子を重ねている。中央領域は、仮想縦中心線Ｐ−Ｐを挟んで横方向Ｘの長さ寸法を約８０ｍｍとされている。ただし、必ずしもこの構成に限られることなく、中央領域に高吸収性ポリマー粒子を重ねることなく、他の領域と同様に構成されているものであっても良い。
【００２５】
上記のような芯材７１は、その厚さ方向に加圧することによって、型崩れを防止し、薄くすることができる。芯材７１は、縦方向Ｙに延びる複数の線状プレスパターンでその全面がプレスされる。図７に示したように、プレス機のプレスパターン７４は、縦方向Ｙの長さ寸法を約２０ｍｍ、縦方Ｙにおける離間寸法を約１０ｍｍ、横方向Ｘにおける離間寸法を約９ｍｍとしている。さらに、横方向Ｘに離間するプレスパターン７４は、縦方向Ｙにずれて配置され、これらが横方向Ｘにおいて完全に一致して重ならないようにされている。上記プレスパターンでプレスされた芯材７１全体の厚さ寸法は、約３〜１０ｍｍである。
【００２６】
芯材７１を被覆シート７２で覆った後、さらに、その身体側から厚さ方向に加熱、加圧することによって、条溝が形成される。より具体的には、縦方向Ｙに離間する前後条溝７５，７６が、横方向Ｘにおいて対称に形成されている。前後条溝７５，７６の縦方向Ｙの長さ寸法は、それぞれ約１２０ｍｍであり、横方向Ｘの長さ寸法は、それぞれ約３ｍｍである。このように前後条溝７５，７６を形成することによって、芯材７１の型崩れを防止するとともに、芯材７１が、この前後条溝７５，７６に沿って曲がりやすくなり、吸液構造体７０が着用者の身体に密着しやすいようにしている。
【００２７】
漏れ防止シート８０は、吸液構造体７０の、着衣側を覆うように取り付けられている。具体的に、縦方向Ｙの長さ寸法を約６７０〜７５０ｍｍ、具体的な例として約６８０ｍｍ、横方向Ｘの長さ寸法を約１８０ｍｍとされ、吸液構造体７０の縦方向Ｙおよび横方向Ｘの外側から漏れ防止シート８０が延出するようにされている。漏れ防止シート８０は、例えばポリエチレン等の樹脂製フィルムによって形成され、その透湿度を約２２００〜３８００ｇ／ｍ２・２４ｈｒｓ、好ましくは約３０００ｇ／ｍ２・２４ｈｒｓとされている。漏れ防止シート８０は、樹脂に炭酸カルシウム等の無機充填材を混練してフィルムを形成した後、一軸または二軸方向に延伸させて多数の微細孔を形成することによって、前記透湿度を得ることができる。透湿度は、ＡＳＴＭ  Ｅ９６−６６に基づいて測定された。
【００２８】
漏れ防止シート８０は、ポリエチレン約３０〜７０％、炭酸カルシウム約７０〜３０％の割合で構成される。また、色合いを調整する目的で酸化チタンを少量加えることもできる。例えば、漏れ防止シート８０は、ポリエチレン約６０％、炭酸カルシウム約４０％の割合で構成され、これに少量の酸化チタンが添加されている。漏れ防止シート８０は、その厚さ寸法を約１０〜３０μｍ、好ましくは約１５〜２３μｍ、具体的な例としては約１７μｍとされている。このような漏れ防止シート８０の単位面積当たりの質量は、約１５〜２３ｇ／ｍ２、具体的な例としては約１８ｇ／ｍ２とされている。また、縦方向Ｙの引張強度を約８〜１４Ｎ／２５ｍｍ、具体的な例として１０Ｎ／２５ｍｍとされ、横方向Ｘの引張強度を約１〜５．５Ｎ／２５ｍｍ、具体的な例として２．７Ｎ／２５ｍｍとされている。引張強度は、ＪＩＳ  Ｋ−７１２７に準じて測定された。
【００２９】
漏れ防止シート８０の透湿度を上記のようにすることによって、おむつ１内の尿等の体液を外部へと通すことなく、蒸気のみを外部へと通すことができる。したがって、おむつ１外への尿等の漏れを防ぎ、かつ、おむつ１内の蒸れを防止することができる。
【００３０】
漏れ防止シート８０と吸液構造体７０とは、接着剤等によって形成された接合領域８１を介してそのほぼ全体にわたって接合されている。接合領域８１は、縦方向Ｙに延びるとともに横方向Ｘに離間する複数条の接着剤によって形成されている。ただし、接着剤のパターンは、これに限られることなく、この技術分野で公知の手法を用いることができる。例えば、漏れ防止シート８０の全体に接着剤が隙間なく連続的に塗工されていても良いし、スパイラル塗工等によって塗工されていても良い。すなわち、全体の接合に影響を与えない範囲で、部分的に接着剤が塗布されない場合も含む。漏れ防止シート８０と吸液構造体７０とが隙間なく接着剤によって接合された場合には、蒸気がおむつ１外へ排出され難く、蒸れの原因となるが、部分的に接合されることによって、蒸れを防止することができる。
【００３１】
漏れ防止シート８０の着衣側は、内面シート４０に接着剤等によって形成された接合領域８２を介して接合される。接合領域８２は、シャーシ前後端縁３４，３５側に位置し、横方向Ｘに延びる前後接合領域８２ａと、前後接合領域８２ａから縦方向Ｙに離間する中央接合領域８２ｂとを有している。これら前後接合領域８２ａと中央接合領域８２ｂとの間に、非接合領域８３が形成されている。前後接合領域８２ａの横方向Ｘの長さ寸法は約２５０〜３００ｍｍ、具体的な例としては約２８０ｍｍであり、縦方向Ｙの長さ寸法は約２５〜５０ｍｍ、具体的な例としては約３０ｍｍである。非接合領域８３の縦方向Ｙの長さ寸法、すなわち前後接合領域８２ａと中央接合領域８２ｂとの離間寸法は約７０〜１２０ｍｍ、具体的な例としては約１１０ｍｍである。非接合領域８３は、漏れ防止シート８０の一方の側縁から他方の側縁へと連続して形成され、これら側縁を互いに連通させる。非接合領域８３は、シャーシ３と漏れ防止シート８０との間の通気をすることができ、おむつ１内部の蒸気を外部へと逃がし、内部の蒸れを防止することができる。
【００３２】
吸液構造体７０の身体側には、これを覆うようにインナトップシート２０が取り付けられている。インナトップシート２０は、透液性の繊維不織布等によって形成され、縦方向Ｙの長さ寸法を約６７０〜７５０ｍｍ、具体的な例としては約６８０ｍｍ、横方向Ｘの長さ寸法を約２１０〜２５０ｍｍ、具体的な例としては約２３０ｍｍとされている。また、インナトップシート２０の単位面積当たりの質量は、約１８〜２６ｇ／ｍ２とされている。
【００３３】
インナトップシート２０の身体側には、このインナトップシート２０から起立するように離間可能な漏れバリアカフ９０が取り付けられている。漏れバリアカフ９０は、縦方向Ｙに延びるとともに、横方向Ｘに離間して一対設けられている。漏れバリアカフ９０は、縦方向Ｙに延びる第１および第２側縁９１，９２と、横方向Ｘに延びるカフ前後端縁９３，９４とを有している。漏れバリアカフ９０は、縦方向Ｙに延びる折曲線９５を介して折り曲げられ、第１側縁９１が吸液構造体７０と漏れ防止シート８０の間に接合され、第２側縁９２がインナトップシート２０の身体側に位置するように取り付けられる（図３参照）。
【００３４】
図６に示したように、漏れバリアカフ９０は、不透液性の繊維不織布等によって形成されたベースシート９６と、折り曲げられたときにベースシート９６の内側に位置する漏れ防止用のカフフィルム９７とを含む。ベースシート９６とカフフィルム９７とは、第１側縁９１においてその側縁が互いに重なるように積層されている。
【００３５】
上記のように折り曲げられた状態で、第２側縁９２は、カフ前後端縁９３，９４近傍でのみ、インナトップシート２０に接合され、これらの縦方向Ｙの間では接合されていない。第２側縁９２では、その一部がインナトップシート２０側に折り返されてスリーブ部９８が形成され、このスリーブ部９８内に、縦方向Ｙに延びるカフ弾性体９９が取り付けられている。カフ弾性体９９は、複数条の弾性糸から形成され、具体的には、四本の弾性糸が取り付けられている。カフ弾性体９９は、カフ前後端縁９３，９４から離間して、すなわち、一定の間隔をあけて伸長状態で収縮可能に取り付けられ、第１側縁９１は、少なくとも、クロッチ域３３において縦方向Ｙに弾性化されている。
【００３６】
漏れバリアカフ９０は、カフ弾性体９９によって弾性化されることによって、第２側縁９２がインナトップシート２０から起立するように離間して身体側に密着し、レッグ開口から尿等が漏れるのを防止している（図３参照）。なお、漏れバリアカフ９０は、吸液構造体７０の両側縁に沿って身体側に折れ曲がるが、この折れ曲がる位置は、折曲線９５よりも横方向Ｘ内側、すなわち、吸液構造体７０側となる。したがって、漏れバリアカフ９０の第２側縁９２は、着用者により密着することができる。
【００３７】
漏れバリアカフ９０の横方向Ｘの離間距離は、インナトップシート２０の横方向Ｘの長さ寸法よりも小さくされている。このような寸法関係において、インナトップシート２０は、その両側縁を漏れバリアカフ９０の横方向Ｘの内側に接合されている。
【００３８】
インナトップシート２０、漏れバリアカフ９０、吸液構造体７０、漏れ防止シート８０によって形成されたインナ２は、シャーシ３の身体側に配置され、その身体側を前後フラップ部５３，５４で覆われる。前後フラップ領域５３，５４で覆われることによって、インナ２の着用者の肌に対する刺激を低減し、肌トラブルを防止することができる。また、前後フラップ部５３，５４で吸液構造体７０を覆うことができるので、芯材７１がこぼれるのを防止することもできる。
【００３９】
上記のようなおむつ１において、漏れ防止シート８０は内外面シート４０，５０よりも小さくされている。したがって、内外面シート４０，５０の前後ウエスト域３１，３２において、漏れ防止シート８０の横方向Ｘ外側には、これとは重ならない透湿領域Ｔが形成される。透湿領域Ｔは、内外面シート４０，５０であって漏れ防止シート８０に重ならない領域すべてにおいて形成される。透湿領域Ｔは、内外面シート４０，５０のみで形成されているので、漏れ防止シート８０に重なる領域に比べると、その透湿度も一般的に大きくなり、この透湿領域Ｔを有することによって、おむつ１の蒸れをより一層防止することができる。
【００４０】
吸液構造体７０の芯材７１は、中央領域で高吸収性ポリマー粒子の単位面積当たりの質量が他の領域に比べて多くされているので、尿などの体液は、中央領域で最も吸収されやすく、横方向Ｘ外側へ流出し難い。したがって、漏れ防止シート８０を横方向Ｘに大きく広げて形成する必要がなく、少なくとも吸液構造体７０に対応するように位置させることによって、尿等の漏れを防止することができる。
【００４１】
着用物品として、いわゆるプルオン・パンツ型のおむつを例に説明しているが、これに限られるものではなく、例えば、オープン型のおむつであってもよい。また、この実施形態において、例としてあげた各数値は、適宜変更可能であり、これら数値に限定されることはない。
【符号の説明】
【００４２】
１  おむつ（着用物品）
３  シャーシ
３１  前ウエスト域
３２  後ウエスト域
３３  クロッチ域
４０  内面シート
５０  外面シート
７０  吸液構造体
７１  芯材
７２  被覆シート
８０  漏れ防止シート
８２  接合領域
８３  非接合領域
Ｔ  透湿領域
Ｘ  横方向
Ｙ  縦方向
【図１】
0003153770.tif 000003
【図２】
0003153770.tif 000004
【図３】
0003153770.tif 000005
【図４】
0003153770.tif 000006
【図５】
0003153770.tif 000007
【図６】
0003153770.tif 000008
【図７】
0003153770.tif 000009